(57)【要約】【課題】一般家庭用の器具として、簡易で、手軽且つ便利に使用することができ、操作も簡単な膿栓吸引具の提供を課題とする。【解決手段】扁桃腺窩に溜まった膿栓を吸引して取り除くのに用いる膿栓吸引具であって、先端に吸引口１１を備えた吸引パイプ部１０と、グリップ部２０とからなり、前記グリップ部２０に吸引パイプ部１０内を負圧に吸引する吸引手段を設けてある。グリップ部２０は、グリップ本体２１と該グリップ本体２１の先に設けられた結合用管２２とからなり、吸引パイプ部１０に対して結合用管２２で分離自在に連結されている。吸引手段は、内部に空洞を有する弾性体からなるグリップ本体２１そのものとし、グリップ本体２１を収縮状態から復帰させる際に吸引パイプ部１０内を負圧に吸引する構成としてある。【選択図】      図１
0003137609.tif 000002
【実用新案登録請求の範囲】
【請求項１】
扁桃腺窩に溜まった膿栓を吸引して取り除くのに用いる膿栓吸引具であって、先端に吸引口を備えた吸引パイプ部と、グリップ部とからなり、前記グリップ部に前記吸引パイプ部内を負圧に吸引する吸引手段を設けてあることを特徴とする膿栓吸引具。
【請求項２】
グリップ部は、グリップ本体と該グリップ本体の先に設けられた結合用管とからなり、吸引パイプ部に対して前記結合用管で分離自在に連結されていることを特徴とする請求項１に記載の膿栓吸引具。
【請求項３】
吸引手段は、内部に空洞を有する弾性体からなるグリップ本体そのものとし、グリップ本体を収縮状態から復帰させる際に吸引パイプ部内を負圧に吸引する構成としてあることを特徴とする請求項２に記載の膿栓吸引具。
【請求項４】
グリップ部と吸引パイプ部との連結部付近に揺動弁体を着脱自在に内蔵し、グリップ部本体を収縮させて空気を吐出させる際には、該吐出圧により前記揺動弁体が進出することで前記吸引パイプ部との通気路を遮断すると共にグリップ部から外部への空気放出路を開放し、グリップ部本体を収縮状態から復帰させて空気を吸引させる際には、該吸引圧により前記揺動弁体が後退することで前記吸引パイプ部との通気路を開放すると共に前記グリップ部から外部への空気放出路を遮断するようにしたことを特徴とする請求項３に記載の膿栓吸引具。
【請求項５】
グリップ部のグリップ本体に、内部を洗浄するための開放キャップを設けていることを特徴とする請求項２〜４の何れかに記載の膿栓吸引具。
【請求項６】
吸引パイプ部の途中に負圧開放小孔を設けてあることを特徴とする請求項１〜５の何れかに記載の膿栓吸引具。
【請求項７】
吸引パイプ部の途中に吸引した異物を収容する異物収容空間を設けてあることを特徴とする請求項１〜６の何れかに記載の膿栓吸引具。
【請求項８】
異物のそれ以上の侵入を防止するフィルターを異物収容空間の吸引下流側の吸引パイプ部の一部若しくはグリップ部の結合用管に設けたことを特徴とする請求項７に記載の膿栓吸引具。
【請求項９】
吸引手段は、前記グリップ本体の内部に設備された電動式吸引ポンプからなり、該電動式吸引ポンプを作動させることで吸引パイプ内を負圧に吸引するよう構成してあることを特徴とする請求項２に記載の膿栓吸引具。
【考案の詳細な説明】
【技術分野】
【０００１】
本考案は扁桃腺窩に溜まった膿栓を吸引して取り除くのに用いる膿栓吸引具に関する。
【背景技術】
【０００２】
扁桃腺窩は喉の奥の左右に存在する口蓋扁桃にある穴である。この扁桃腺窩には細菌の死骸等のカスが溜まり易く、カスが溜まったものを膿栓と呼ぶ。膿栓があると、必ずしも病気になるというわけではないが、口臭の原因となる場合が多い。このことから従来においては、膿栓の除去を望む者は、耳鼻咽喉科等の病院で膿栓を取り除いてもらうか、或いは自ら綿棒のようなものを駆使して膿栓の除去を行わんとしていた。
一方、膿栓を取り除く吸引具として、実公平３−２５７９０号公報には、口蓋扁桃腺窩押し出し吸引具が提供されている。
【特許文献１】実公平３−２５７９０号公報
【考案の開示】
【考案が解決しようとする課題】
【０００３】
上記特許文献１に示す考案は、蓮口状吸引部（１）、吸引管（４）、吸引源、把手（５）を備えた口蓋扁桃腺窩膿押し出し吸引具であるが、吸引源が把手（５）とは別に設けられる構成となされており、一般家庭用に適したコンパクトなものにはなっていない。また吸引源が、別置きの吸引ポンプと推定され、或いは十分明瞭に具体化されておらず、これによっても一般家庭用の器具として適したものとは言えないものであった。
また特許文献１のものでは、吸引したカスがそのまま吸引源に入ってしまう恐れがあるなど、吸引されたカスをどのように除去するのかといった構成がなく、一般家庭用の器具として使い易いものとはなっていなかった。
【０００４】
そこで本考案は上記従来の問題を解消し、一般家庭用の器具として、簡易で、手軽且つ便利に使用することができ、操作も簡単な膿栓吸引具の提供を課題としている。
【課題を解決するための手段】
【０００５】
本考案の膿栓吸引具は、扁桃腺窩に溜まった膿栓を吸引して取り除くのに用いる膿栓吸引具であって、先端に吸引口を備えた吸引パイプ部と、グリップ部とからなり、前記グリップ部に前記吸引パイプ部内を負圧に吸引する吸引手段を設けてあることを第１の特徴としている。
また本考案の膿栓吸引具は、上記第１の特徴に加えて、グリップ部は、グリップ本体と該グリップ本体の先に設けられた結合用管とからなり、吸引パイプ部に対して前記結合用管で分離自在に連結されていることを第２の特徴としている。
また本考案の膿栓吸引具は、上記第２の特徴に加えて、吸引手段は、内部に空洞を有する弾性体からなるグリップ本体そのものとし、グリップ本体を収縮状態から復帰させる際に吸引パイプ部内を負圧に吸引する構成としてあることを第３の特徴としている。
また本考案の膿栓吸引具は、上記第３の特徴に加えて、グリップ部と吸引パイプ部との連結部付近に揺動弁体を着脱自在に内蔵し、グリップ本体を収縮させて空気を吐出させる際には、該吐出圧により前記揺動弁体が進出することで前記吸引パイプ部との通気路を遮断すると共にグリップ部から外部への空気放出路を開放し、グリップ本体を収縮状態から復帰させて空気を吸引させる際には、該吸引圧により前記揺動弁体が後退することで前記吸引パイプ部との通気路を開放すると共に前記グリップ部から外部への空気放出路を遮断するようにしたことを第４の特徴としている。
また本考案の膿栓吸引具は、上記第２〜第４の何れかに記載の特徴に加えて、グリップ部のグリップ本体に、内部を洗浄するための開放キャップを設けていることを第５の特徴としている。
また本考案の膿栓吸引具は、上記第１〜第５の何れかに記載の特徴に加えて、吸引パイプ部の途中に負圧開放小孔を設けてあることを第６の特徴としている。
また本考案の膿栓吸引具は、上記第１〜第６の何れかに記載の特徴に加えて、吸引パイプ部の途中に吸引した異物を収容する異物収容空間を設けてあることを第７の特徴としている。
また本考案の膿栓吸引具は、上記第７の特徴に加えて、異物のそれ以上の侵入を防止するフィルターを異物収容空間の吸引下流側の吸引パイプ部の一部若しくはグリップ部の結合用管に設けたことを第８の特徴としている。
また本考案の膿栓吸引具は、上記第２の特徴に加えて、吸引手段は、前記グリップ本体の内部に設備された電動式吸引ポンプからなり、該電動式吸引ポンプを作動させることで吸引パイプ内を負圧に吸引するよう構成してあることを第９の特徴としている。
【考案の効果】
【０００６】
請求項１に記載の膿栓吸引具によれば、グリップ部を手で持って、吸引パイプ部の先端の吸引口を扁桃腺窩にあてがい、グリップ部に設けた吸引手段で吸引パイプ部を負圧に吸引することで、扁桃腺窩に溜まっている膿栓を吸引口から吸引することができる。これによって扁桃腺窩に溜まっている膿栓を除去し、口臭源を除去することができる。
操作は、グリップ部を手で持って、吸引口を口内の扁桃腺窩にあてがい、グリップ部の吸引手段を手で操作して、吸引を行うことで済む。よって操作が簡単である。
また本考案の膿栓吸引具は、吸引口を備えた吸引パイプ部と吸引手段を備えたグリップ部とで構成されているだけであるので、全体が非常に簡単でシンプルな構成で、よって手で簡単に扱えるハンディな道具として、一般家庭用としても適しており、洗面所等に他のグッズと共に嵩をとることなく揃えておくことができる。
【０００７】
請求項２に記載の膿栓吸引具によれば、上記請求項１に記載の構成による作用効果に加えて、グリップ部と吸引パイプ部とは、グリップ部本体の先の結合用管で吸引パイプ部と分離可能に連結されているので、
必要に応じてグリップ部と吸引パイプ部とを分離し、それぞれを十分に洗浄することができる。特に管同士の連結を外すことができるので、吸引パイプ部の内部やグリップ部の内部に水を入れる等して、洗浄を容易に行うことが可能となる。
【０００８】
請求項３に記載の膿栓吸引具によれば、上記請求項２に記載の構成による作用効果に加えて、吸引手段は、内部に空洞を有する弾性体からなるグリップ本体そのものとし、グリップ本体を収縮状態から復帰させる際に吸引パイプ部内を負圧に吸引する構成としてあるので、
吸引手段をグリップ本体そのものとすることで、構成が非常にシンプルでコンパクトとなり、使い勝手のよい膿栓吸引具を提供することができる。またグリップ本体を握って収縮させたり元に復帰させたりすることで、膿栓の吸引を行うことができるので、グリップ本体を把持した手でそのまま吸引動作を含む全ての操作を行うことができ、取り扱い操作が非常に便利な膿栓吸引具を提供することができる。
【０００９】
請求項４に記載の膿栓吸引具によれば、上記請求項３に記載の構成による作用効果に加えて、グリップ部と吸引パイプ部との連結部付近に揺動弁体を着脱自在に内蔵し、グリップ本体を収縮させて空気を吐出させる際には、該吐出圧により前記揺動弁体が進出することで前記吸引パイプ部との通気路を遮断すると共にグリップ部から外部への空気放出路を開放し、グリップ本体を収縮状態から復帰させて空気を吸引させる際には、該吸引圧により前記揺動弁体が後退することで前記吸引パイプ部との通気路を開放すると共に前記グリップ部から外部への空気放出路を遮断するようにしたので、
グリップ本体の空気を抜いて吸引の準備をする際には、空気が吸引パイプ部を通って喉の奥に吐出されるのを防止しながら、手前の空気放出口から十分に且つスムーズに空気を放出させることができる。よって膿栓吸引のための準備を速やかに且つ安定して行うことができる。
またグリップ本体を収縮状態から復帰させることで現に膿栓の吸引を行う場合には、グリップ本体の形状復帰過程に伴う吸引作用を吸引パイプ部先端の吸引口に至るまで十分に及ぼしめて、強い吸引力で膿栓を吸引させることができる。よって膿栓を速やかに、確実に扁桃腺窩から吸引除去することができる。
【００１０】
請求項５に記載の膿栓吸引具によれば、上記請求項２〜４の何れかに記載の構成による効果に加えて、グリップ部のグリップ本体に、内部を洗浄するための開放キャップを設けているので、
グリップ部内の洗浄を行う際には、開放キャップを外すことで、グリップ部内に容易に水等の洗浄用液を入れ、グリップ部内を綺麗に洗浄することができる。
【００１１】
請求項６に記載の膿栓吸引具によれば、上記請求項１〜５の何れかに記載の構成による効果に加えて、吸引パイプ部の途中に負圧開放小孔を設けてあるので、
吸引口を扁桃腺に当て、膿栓を吸引した際に、負圧によって何時までも吸引口が扁桃腺に吸着したままで、外れ難くなるのを防止することができる。即ち、グリップ部の吸引操作によって、その初期には吸引パイプ部の内部が大きく負圧状態となり、膿栓の吸引、除去が実行される。しかし前記負圧開放小孔から空気が吸引パイプ部内に入り込むことで、短時間後にはその負圧状態が軽減される。これにより吸引口と扁桃腺との吸着力が弱まり、吸引口が扁桃腺から取れなくなるといったことが回避される。よって吸引口をスムーズに移動させながら、スムーズに膿栓を除去することができる。
【００１２】
請求項７に記載の膿栓吸引具によれば、上記請求項１〜６の何れかに記載の構成による効果に加えて、吸引パイプ部の途中に吸引した異物を収容する異物収容空間を設けてあるので、
吸引口から吸引した膿栓を、異物として吸引パイプ部の途中位置である異物収容空間にまとめておくことが可能になる。
【００１３】
請求項８に記載の膿栓吸引具によれば、上記請求項７に記載の構成による効果に加えて、異物のそれ以上の侵入を防止するフィルターを異物収容空間の吸引下流側の吸引パイプ部の一部若しくはグリップ部の結合用管に設けたので、
異物がグリップ本体内へ侵入するのを防止することができると共に、膿栓吸引具の洗浄を容易に行うことができる。
【００１４】
請求項９に記載の膿栓吸引具によれば、上記請求項２に記載の構成による効果に加えて、吸引手段は、前記グリップ本体の内部に設備された電動式吸引ポンプからなり、該電動式吸引ポンプを作動させることで吸引パイプ内を負圧に吸引するよう構成してあるので、
使用者はグリップ部を持ち、吸引口を扁桃腺窩にあてがい、グリップ部本体に内蔵の電動式吸引ポンプをスイッチ操作することで、容易に膿栓の吸引を行うことができる。
【考案を実施するための最良の形態】
【００１５】
以下の図面を参照しながら、本考案の実施形態を更に詳細に説明し、本考案の理解に供する。しかし以下の説明は本考案の具体例であって、実用新案登録請求の範囲に記載の内容を減縮するものではない。
図１は本考案の第１の実施形態に係る膿栓吸引具の全体斜視図、図２は第１の実施形態に係る膿栓吸引具の要部の断面図、図３は第１の実施形態に係る膿栓吸引具の分解斜視図、図４は第１の実施形態に係る膿栓吸引具のグリップ部先端付近の斜視図である。図５は本考案の第２の実施形態に係る膿栓吸引具の全体斜視図、図６は第２の実施形態に係る膿栓吸引具の分解斜視図、図７は揺動弁体の斜視図、図８は第２の実施形態に係る膿栓吸引具の作用を説明する断面図である。
【００１６】
先ず図１〜４を参照して、本考案の第１の実施形態に係る膿栓吸引具を説明する。膿栓吸引具は吸引パイプ部１０とグリップ部２０とからなる。
【００１７】
前記吸引パイプ部１０は、口内に挿入され、その先端が扁桃腺窩に当接する状態にあてがわれることで、扁桃腺窩に溜まった膿栓を吸引する役割を果たすものである。
吸引パイプ部１０は細長いパイプ状を呈し、必要に応じて適当にカーブした形状となされている。そして吸引パイプ部１０の先端に吸引口１１が備えられている。吸引口１１に至る近傍は、パイプの口径がラッパ状にやや拡径するように形成することができる。また吸引口１１は、その口縁周囲を断面が円形状のリング形状として、口内の粘膜表面等との接触において、傷を付けないようにしている。
【００１８】
吸引パイプ部１０の途中、より具体的には、前記吸引口１１の少し手前の側壁位置に負圧開放小孔１２を設けている。この負圧開放小孔１２は１乃至複数個を、それぞれ吸引パイプ部１０の側周壁の１乃至複数個所に設けることができる。本実施形態では側周壁の円周方向の４箇所にそれぞれ５個ずつの負圧開放小孔１２を設けている。
前記負圧開放小孔１２は、吸引パイプ部１２内の負圧状態を徐々に解消するもので、吸引パイプ部１２の吸引口１１が扁桃腺窩等に何時までも吸着したままとなって、外れにくくなるのを防止するための役割を果たす。
【００１９】
吸引パイプ部１０の途中、より具体的には、前記負圧開放小孔１２の位置より基端側で、実際には吸引パイプ部１０の中間付近よりも更に基端側の位置に、異物収容空間１３を設けている。
この異物収容空間１３は、吸引した膿栓、その他のカス等の異物を収容するスペースとして機能するもので、吸引パイプ部１０の一部を拡径することで構成している。
【００２０】
吸引パイプ部１０は、例えばシリコン樹脂等の透明或いは半透明の樹脂で構成するのが好ましい。透明、半透明とすることで、膿栓を吸引して捕れたか否かが視認できる。また材質として、適当に弾力変形ができる弾性をもった素材とするのが好ましい。勿論、吸引パイプ部１０の材質は、樹脂の他、金属であってもよいし、透明でなくても可能である。
【００２１】
前記グリップ部２０は、膿栓吸引具の持ち手部分である。グリップ部２０を手で持って操作し、吸引パイプ部１０の先端の吸引口１１を所定の箇所にあてがう。
グリップ部２０は、グリップ本体２１と、該グリップ本体２１の先に設けられた結合用管２２とからなる。
前記グリップ本体２１は、内部に空洞を有する弾性体で構成する。素材としては透明若しくは不透明の樹脂とすることができる。
本実施形態では、グリップ本体２１そのものが吸引手段を構成している。即ち、弾性体であるグリップ本体２１を外側から押して収縮させると、内部の空洞にある空気が空洞から排出される。そして空気を排出させた状態から更にグリップ本体２１を元の形状に弾性復帰させると、前記空洞内に空気が吸引される。即ち、グリップ本体２１を収縮させた状態から復帰させることで、吸引パイプ部１０内を負圧にし、吸引口１１からの吸引ができる。
グリップ本体２１には、開放キャップ２３を設けている。開放キャップ２３は、例えばグリップ本体２１の尻部に設けることができる。開放キャップ２３を取り外すことで、グリップ本体２１の空洞内に水等を洗浄液として入れることができ、内部を洗浄することができる。
【００２２】
前記結合用管２２は、グリップ本体２１の先に設けられて、前記吸引パイプ部１０との連結をなすものである。本実施形態では、結合用管２２は吸引パイプ部１０に対して分離自在に連結される。これにより、グリップ本体２１の収縮とその復帰に伴う負圧状態を吸引パイプ部１０内に発生させることができ、膿栓の吸引を可能とする。
結合用管２２の先端部にフィルター２４を設けている。このフィルター２４は、吸引パイプ部１０に吸引された膿栓等の異物がフィルター２４を越えてそれ以上侵入するのを防止する役割を果たす。勿論、このフィルター２４は空気の通気路を十分に確保できるように構成されている。本実施形態では、結合用管２２が吸引パイプ部１０に内嵌合されることで、結合用管２２の先端のフィルター２４が前記吸引パイプ部１０の異物収容空間１３の直ぐ下流位置（図２参照）に配置されるようになされている。これにより、異物収容空間１３に収容された膿栓等の異物が更に下流に移動してゆくのが防止される。
結合用管２２とフィルター２４は、樹脂素材として一体成形することができる。
【００２３】
以上の構成からなる膿栓吸引具によれば、グリップ部２０を手で持ち、吸引パイプ部１０の吸引口１１を口内の扁桃腺窩にあてがい、グリップ本体２１を収縮させた状態からもとに復帰させることで、吸引パイプ部１０内に負圧を発生させ、扁桃腺窩にある膿栓を吸引して取り除くことができる。このとき、負圧開放小孔１２があるので、吸引口１１が扁桃腺の粘膜表面に吸い付いたままとなるのを予防することができる。異物収容空間１３に溜まった異物は、吸引パイプ部１０をグリップ部２０と分離することで、容易に下方に落として、吸引パイプ部１０の外に排出することができる。また開放キャップ２３を外すことで、グリップ本体２１を十分に洗浄することができる。
【００２４】
図５〜図８を参照して、本考案の第２の実施形態に係る膿栓吸引具を説明する。この第２の実施形態に係る膿栓吸引具の場合も、上記第１の実施形態の場合と同様の機能を果たす吸引パイプ部１０とグリップ部２０とからなる。しかし本実施形態では、揺動弁体３０が部品として付属的に付加されている。
以後において、第１の実施形態の膿栓吸引具における部材、要素と同一の機能を果たす部材、要素については、本第２の実施形態においても同一の符号で示し、既に述べた説明を援用する。
【００２５】
本第２の実施形態での吸引パイプ部１０には、その先端に吸引口１１が設けられ、また負圧開放小孔１２と、異物収容空間１３が設けられている。これら１１、１２、１３については上記第１の実施形態の場合と同じである。
第２の実施形態では、吸引パイプ部１０にフィルター１４を設けている。このフィルター１４は、上記第１の実施形態におけるフィルター２４に対応するものである。フィルター１４は吸引パイプ部１０の異物収容空間１３の直ぐ下に形成して設けられている。これによって吸引パイプ部１０内に吸引された異物は、異物収容空間１３に留まり、それ以上、下流に移動されることはない。異物収容空間１３の異物は、分離した吸引パイプ部１０を逆洗することで、吸引パイプ部１０の先端の吸引口１１から排除することができる。
【００２６】
前記第２の実施形態でのグリップ部２０は、グリップ本体２１と結合用管２２とからなる。また開放キャップ２３を有する。グリップ本体２１、開放キャップ２３の構成は、上記第１の実施形態におけるグリップ本体２１、開放キャップ２３と同じである。
【００２７】
前記第２の実施形態での結合用管２２には、その上部に前記揺動弁体３０を収容して保持する弁体収容ポケット２５を設け、また該弁体収容ポケット２５から外部に通ずる空気放出路２６を設けている。
本第２の実施形態の場合は、結合用管２２の先端が前記吸引パイプ部１０の下端の接続部に外嵌合することで、分離自在に連結されるようになされている。
【００２８】
前記弁体収容ポケット２５は、結合用管２２の先端から一定の深さまでを、拡大段部２５ａ（図８の（ロ）参照）を介して、前記揺動弁体３０の径よりも少しだけ径が大きくなるように拡径して構成している。これにより、結合用管２２の先端から着脱自在に挿入された揺動弁体３０が、弁体収容ポケット２５内で軸方向に摺動できるようになされている。  また前記空気放出路２６は前記弁体収容ポケット２５の底部近傍の側壁から該側壁の外前方に空気が抜けるように構成されている。より具体的に説明すると、前記空気放出路２６が形成される結合用管２２の部分は他の部分に比べて厚肉に構成されており、弁体収容ポケット２５の側壁から始まる空気放出路２６は、前記厚肉内を軸方向前方に経路されて、外部に通じている。
【００２９】
前記揺動弁体３０は、前記グリップ部２０と吸引パイプ部１０との間の通気路Ｐを開放し、或いは遮断する機能を果たすものである。この揺動弁体３０は、動先頭部が閉止され、底部が開放された筒状体からなり、先頭部の最先頭平面部３０ａに続く傾斜肩部３０ｂに第１の通気孔３１が設けられ、筒状体の底部付近の側壁３０ｃに第２の通気孔３２が設けられている。
前記傾斜肩部３０ｂは、既述した吸引パイプ部１０の最下端に形成した傾斜弁座部１０ａ（図８の（イ）参照）に当接して密着できるように形成されている。
揺動弁体３０は、分離状態にあるグリップ部２０の結合用管２２の先端から弁体収容ポケット２５内に入れられ、吸引パイプ部１０が前記結合用管２２に嵌合、連結されることで、連結部付近にある弁体収容ポケット２５内に進退自在に収容保持される。
【００３０】
図８の（イ）、（ロ）を参照して、弁体収容ポケット２５内に収容保持された揺動弁体３０の動きを説明する。
今、膿栓吸引具のグリップ本体２１を手で持ち、吸引パイプ部１０が上向きに保持されている状態において、揺動弁体３０は下方に下がった状態（図８の（イ）参照）にあり、グリップ部２０の空気放出路２６が閉鎖された状態にある。そしてこの状態において、グリップ本体２１を手で圧縮して収縮させると、グリップ本体２１内の空気が結合用管２２へ押し出され、揺動弁体３０を押して進出させる。揺動弁体３０が進出した状態（図８の（ロ）参照）では、揺動弁体３０の第２の通気孔３２がグリップ部２０の空気放出路２６に一致し、一方、揺動弁体３０の傾斜肩部３０ｂが吸引パイプ部１０の傾斜弁座部１０ａに当接して、第１の通気孔３１が閉止される。これにより通気路Ｐが遮断され、前記グリップ本体２１から押し出された空気は、吸引パイプ部１０側に流れることなく、空気放出路２６から外部に排出される。
次に前記グリップ本体２１を前記収縮させた状態から開放すると、グリップ本体２１は、その弾性により元の状態に復帰する。その際、空気がグリップ本体２１内に吸引され、揺動弁体３０が後退した状態（図８の（イ）参照）となって、空気放出路２６を閉止し、第１の通気孔３１を開放する。よって通気路Ｐが開放されて、吸引パイプ部１０内が負圧に吸引され、吸引口１１に吸引力が生じる。従って吸引口１１を扁桃腺窩にあてておくことで、扁桃腺窩にある膿栓を吸引パイプ部１０内に吸引して取り込むことができる。
【００３１】
上記した本実施形態では、グリップ本体２１そのものを吸引手段として構成しているが、吸引手段としては、グリップ本体２１の内部に設備された電動式吸引ポンプであってもよい。この場合、グリップ本体２１そのものは持ち手本来の役目だけをなせばよく、弾性的に圧縮されたり復帰されたりする必要はない。グリップ部２０に電動式吸引ポンプのスイッチを設けることで、必要なときにスイッチオンして膿栓の吸引操作を簡単に行うことができる。
【図面の簡単な説明】
【００３２】
【図１】本考案の第１の実施形態に係る膿栓吸引具の全体斜視図である。
【図２】本考案の第１の実施形態に係る膿栓吸引具の要部の断面図である。
【図３】本考案の第１の実施形態に係る膿栓吸引具の分解斜視図である。
【図４】本考案の第１の実施形態に係る膿栓吸引具のグリップ部先端付近の斜視図である。
【図５】本考案の第２の実施形態に係る膿栓吸引具の全体斜視図である。
【図６】本考案の第２の実施形態に係る膿栓吸引具の分解斜視図である。
【図７】揺動弁体の斜視図である。
【図８】本考案の第２の実施形態に係る膿栓吸引具の作用を説明する断面図で、（イ）は揺動弁体が後退した状態を示し、（ロ）は揺動弁体が進出した状態を示す。
【符号の説明】
【００３３】
１０    吸引パイプ部
１０ａ  傾斜弁座部
１１    吸引口
１２    負圧開放小孔
１３    異物収容空間
１４    フィルター
２０    グリップ部
２１    グリップ本体
２２    結合用管
２３    開放キャップ
２４    フィルター
２５    弁体収容ポケット
２５ａ  拡大段部
２６    空気放出路
３０    揺動弁体
３０ａ  最先頭平面部
３０ｂ  傾斜肩部
３０ｃ  側壁
３１  第１の通気孔
３２  第２の通気孔
Ｐ    通気路
【図１】
0003137609.tif 000003
【図２】
0003137609.tif 000004
【図３】
0003137609.tif 000005
【図４】
0003137609.tif 000006
【図５】
0003137609.tif 000007
【図６】
0003137609.tif 000008
【図７】
0003137609.tif 000009
【図８】
0003137609.tif 000010